(57)【要約】      （修正有）【課題】袋体の開口部を封する密封装置を提供する。【解決手段】開口部を挟んで密封する一対の棒状の挟み部材１２Ａを備え、挟み部材１２Ａは、第１の平板１２Ａａおよび第２の平板１２Ａｂ並びに第１の平板１２Ａａの一端と第２の平板１２Ａｂの一端とを連結する変形部材１２Ａｃとを備え、変形部材１２Ａｃは、折り曲げ可能な弾性体であり、折り曲げた状態のときに第１の平板１２Ａａと第２の平板１２Ａｂとを重ねて支持し、第１の平板１２Ａａは、該第１の平板１２Ａａの第２の平板１２Ａｂに接する平面に第１の弾性体１２Ａａｅを有し、第２の平板１２Ａｂは、該第２の平板１２Ａｂの第１の平板１２Ａａに接する平面に第２の弾性体１２Ａｂｅを有し、開口部を密封する場合に、変形部材１２Ａｃを折り曲げて第１の平板１２Ａａと第２の平板１２Ａｂとを重ねて開口部を閉鎖し、第１の弾性体１２Ａａｅと第２の弾性体１２Ａｂｅを弾性変形して該開口部を密封する。【選択図】図２
0003211387.tif 000002
【実用新案登録請求の範囲】
【請求項１】
袋体の開口部を封する密封装置であって、
前記開口部を挟んで密封する一対の棒状の挟み部材を備え、
前記挟み部材は、第１の平板および第２の平板並びに前記第１の平板の一端と前記第２の平板の一端とを連結する変形部材とを備え、
前記変形部材は、折り曲げ可能な弾性体であり、折り曲げた状態のときに前記第１の平板と前記第２の平板とを重ねて支持し、
前記第１の平板は、該第１の平板の前記第２の平板に接する平面に第１の弾性体を有し、
前記第２の平板は、該第２の平板の前記第１の平板に接する平面に第２の弾性体を有し、
前記固定部材は、前記開口部を密封する場合に、前記変形部材を折り曲げて前記第１の平板と前記第２の平板とを重ねて前記開口部を閉鎖し、前記第１の弾性体と前記第２の弾性体を弾性変形して該開口部を密封する、
ことを特徴とする密封装置。
【請求項２】
開口部を封する密封装置付き袋体であって、
前記開口部を封する開閉可能な線状ファスナー部材と、
前記開口部を封した場合に前記線状ファスナー部材の位置を固定する固定部材と
を有し、
前記線状ファスナー部材は、対になった一組の線状の留め具に沿ってスライダーを移動することで該留め具の務歯が順次組み合わさって、前記開口部を封状態とし、
前記固定部材は、前記開口部を封状態とした場合に、該開口部の前記スライダー側の端部を挟んで密封する一対の棒状の挟み部材を備え、
前記挟み部材は、第１の平板および第２の平板並びに前記第１の平板の一端と前記第２の平板の一端とを連結する変形部材とを備え、
前記変形部材は、折り曲げ可能な弾性体であり、折り曲げた状態のときに前記第１の平板と前記第２の平板とを重ねて支持し、
前記第１の平板は、該第１の平板の前記第２の平板に接する平面に第１の弾性体を有し、
前記第２の平板は、該第２の平板の前記第１の平板に接する平面に第２の弾性体を有し、
前記固定部材は、前記開口部を密封する場合に、前記変形部材を折り曲げて前記第１の平板と前記第２の平板とを重ねて前記開口部を閉鎖し、前記第１の弾性体と前記第２の弾性体を弾性変形して該開口部を密封する、
ことを特徴とする密封装置付き袋体。
【請求項３】
前記固定部材は、前記開口部を密封する場合に、前記変形部材を屈曲して前記第１の平板と前記第２の平板とを重ねて前記開口部を挟んで閉鎖し、該第１の平板と該第２の平板の側面で前記スライダーの位置を支持して固定する、
ことを特徴とする、請求項２に記載の密封装置付き袋体。
【考案の詳細な説明】
【技術分野】
【０００１】
本考案は、開口部を封する密封装置および密封装置付き袋体に関する。
【背景技術】
【０００２】
特許文献１では、少なくとも２層以上の積層構造の雄側帯状基部、および、前記雄側帯状基部に設けられた雄部を有する雄部材と、少なくとも２層以上の積層構造の雌側帯状基部、および、前記雌側帯状基部に設けられ前記雄部が係合可能な雌部を有する雌部材と、を備え、前記雄側帯状基部および前記雌側帯状基部の成形品を示差走査熱分析した際の融解曲線は５０℃以上７０℃以下で融解ピークを示し、かつ、前記成形品を溶融後に再結晶化させた直後の示差走査熱分析による融解曲線は４０℃以上１００℃以下で融解ピークを示さないことを特徴とするジッパーテープに関する技術を開示している。特許文献２では、ジッパー袋の左右の端の溝を固定することを特徴とする袋に関する技術を開示している。特許文献３では、合成樹脂で形成されたジッパーであって、前記ジッパーが延びる方向に直交するジッパー直交断面に第１の突起として現れる第１のレールと、前記第１のレールに対して平行かつ隣接して設けられて前記ジッパー直交断面に第２の突起として現れる第２のレールと、前記第１のレールと前記第２のレールとの間に設けられて前記ジッパー直交断面に第３の突起として現れる第３のレールと、を有する一方係合部材と、前記ジッパーを閉じたときに前記第１のレールと前記第３のレールとの間に嵌って前記ジッパー直交断面に第４の突起として現れる第４のレールと、前記ジッパーを閉じたときに前記第２のレールと前記第３のレールとの間に嵌って前記ジッパー直交断面に第５の突起として現れる第５のレールと、を有する他方係合部材とを備え、前記第１のレール及び前記第４のレールの少なくとも一方、又は前記第２のレール及び前記第５のレールの少なくとも一方に、窪みが断続的に形成されたジッパーに関する技術を開示している。
【先行技術文献】
【特許文献】
【０００３】
【特許文献１】特開２０１７−６２７６号公報
【特許文献２】特開２０１４−１５６２８０号公報
【特許文献３】特開２０１３−１４３５４号公報
【考案の概要】
【考案が解決しようとする課題】
【０００４】
しかしながら、特許文献１乃至特許文献３に開示されている技術では、袋体の開口部をファスナー（開閉可能な線状の留め具）で封する場合に、ファスナーの一部（開口部の端部）を密封することができない場合があった。特許文献１乃至特許文献３に開示されている技術では、内容物の体積が大きくて膨らんでいる袋を封するときに、ファスナーのスライダーが移動してしまい、例えば高齢者や身体に障害のある人がファスナーの一部（開口部の端部）を密封することが難しい場合があった。
【０００５】
本考案は、袋体の開口部を封する密封装置であって、容易に密封することができる密封装置を提供することを目的とする。また、内容物の体積が大きくて膨らんでいる袋体を封するときに、線状ファスナー部材のスライダーを固定して、袋体を容易に密封することができる密封装置を提供するものであってもよい。また、その密封装置を備える袋体であってもよい。
【課題を解決するための手段】
【０００６】
上記課題を解決するために、本考案の一つの実施形態は、袋体の開口部を封する密封装置であって、前記開口部を挟んで密封する一対の棒状の挟み部材を備え、前記挟み部材は、第１の平板および第２の平板並びに前記第１の平板の一端と前記第２の平板の一端とを連結する変形部材とを備え、前記変形部材は、折り曲げ可能な弾性体であり、折り曲げた状態のときに前記第１の平板と前記第２の平板とを重ねて支持し、前記第１の平板は、該第１の平板の前記第２の平板に接する平面に第１の弾性体を有し、前記第２の平板は、該第２の平板の前記第１の平板に接する平面に第２の弾性体を有し、前記固定部材は、前記開口部を密封する場合に、前記変形部材を折り曲げて前記第１の平板と前記第２の平板とを重ねて前記開口部を閉鎖し、前記第１の弾性体と前記第２の弾性体を弾性変形して該開口部を密封する、ことを特徴とする密封装置を提供する。
【０００７】
本考案の他の実施形態は、開口部を封する密封装置付き袋体であって、前記開口部を封する開閉可能な線状ファスナー部材と、前記開口部を封した場合に前記線状ファスナー部材の位置を固定する固定部材とを有し、前記線状ファスナー部材は、対になった一組の線状の留め具に沿ってスライダーを移動することで該留め具の務歯が順次組み合わさって、前記開口部を封状態とし、前記固定部材は、前記開口部を封状態とした場合に、該開口部の前記スライダー側の端部を挟んで密封する一対の棒状の挟み部材を備え、前記挟み部材は、第１の平板および第２の平板並びに前記第１の平板の一端と前記第２の平板の一端とを連結する変形部材とを備え、前記変形部材は、折り曲げ可能な弾性体であり、折り曲げた状態のときに前記第１の平板と前記第２の平板とを重ねて支持し、前記第１の平板は、該第１の平板の前記第２の平板に接する平面に第１の弾性体を有し、前記第２の平板は、該第２の平板の前記第１の平板に接する平面に第２の弾性体を有し、前記固定部材は、前記開口部を密封する場合に、前記変形部材を折り曲げて前記第１の平板と前記第２の平板とを重ねて前記開口部を閉鎖し、前記第１の弾性体と前記第２の弾性体を弾性変形して該開口部を密封する、ことを特徴とする密封装置付き袋体であってもよい。
【０００８】
本考案の他の実施形態は、上記の密封装置付き袋体であって、前記固定部材は、前記開口部を密封する場合に、前記変形部材を屈曲して前記第１の平板と前記第２の平板とを重ねて前記開口部を挟んで閉鎖し、該第１の平板と該第２の平板の側面で前記スライダーの位置を支持して固定する、ことを特徴とする密封装置付き袋体であってもよい。
【考案の効果】
【０００９】
本考案に係る密封装置および密封装置付き袋体によれば、固定部材を用いて開口部の端部を閉鎖することができるので、袋体を容易に密封することができる。また、本考案に係る密封装置および密封装置付き袋体によれば、内容物の体積が大きくて膨らんでいる袋体を封するときに、線状ファスナー部材のスライダーを固定することができるので、袋体を容易に密封することができる。
【図面の簡単な説明】
【００１０】
【図１】本考案の実施形態に係る密封装置付き袋体の例を説明する説明図である。
【図２】本考案の実施形態に係る密封装置付き袋体の挟み部材（固定部材）の一例を説明する説明図である。
【図３】本考案の実施形態に係る密封装置付き袋体の使用方法の一例を説明する説明図である。
【考案を実施するための形態】
【００１１】
実施形態に係る密封装置付き袋体の例を用いて、本考案を説明する。なお、本考案は、以後に説明する密封装置付き袋体以外でも、ものを入れる袋体を密封することができるもの（部品、部材、商品、製品など）であれば、いずれのものにも用いることができる。ここで、密封装置付き袋体の色は、特に限定されない。密封装置付き袋体の色は、透明、半透明、色付きのものであってもよい。また、密封装置付き袋体の色は、説明書きを付記したもの、使用者（消費者）の趣味趣向に合わせた柄のものであってもよい。密封装置付き袋体の形状の隅部は、角ばっていてもよく、丸みを帯びていてもよい。
【００１２】
以後に、本考案を説明する。
【００１３】
図１を用いて、本考案の実施形態に係る密封装置付き袋体の構成を説明する。ここで、図１は、本考案の実施形態に係る密封装置付き袋体１００の例を説明する説明図である。図２は、本考案の実施形態に係る密封装置付き袋体１００の挟み部材１２Ａの一例を説明する説明図である。図３は、本考案の実施形態に係る密封装置付き袋体１００の使用方法の一例を説明する説明図である。なお、図１に示す密封装置付き袋体の構成等は一例であり、本考案は図１に示す密封装置付き袋体に示すものに限定されるものではない。
【００１４】
図１に示すように、本考案に係る密封装置付き袋体１００は、開口部を封して、容易に密封することができる袋体である。密封装置付き袋体１００は、本実施形態では、袋部材１０の開口部を封する開閉可能な線状ファスナー部材１１と、開口部を封した場合に線状ファスナー部材１１の位置を固定する固定部材１２とを有する。なお、本考案に係る袋部材１０の大きさ及び開口部の長手方向の長さは、特に限定されない。
【００１５】
密封装置付き袋体１００は、図１および図３に示すように、線状ファスナー部材１１の対になった一組の線状の留め具１１ａに沿ってスライダー１１ｂを移動することで留め具１１ａの務歯が順次組み合わさって、開口部を封状態とする。固定部材１２は、開口部を封状態とした場合に、開口部のスライダー１１ｂ側の端部を挟んで密封する一対の棒状の挟み部材１２Ａ（図２）を備える。これにより、本考案に係る密封装置付き袋体によれば、固定部材を用いて開口部の端部を閉鎖することができるので、袋体を容易に密封することができる。また、本考案に係る密封装置付き袋体によれば、内容物の体積が大きくて膨らんでいる袋体を封するときに、線状ファスナー部材のスライダーを固定することができるので、袋体を容易に密封することができる。
【００１６】
図２及び図３を用いて、本考案の密封装置付き袋体の挟み部材１２Ａ（固定部材）の構成を説明する。なお、図２等に示す挟み部材１２Ａ（固定部材）の構成等は一例であり、本考案は図２等に示す挟み部材１２Ａ（固定部材）等に示すものに限定されるものではない。
【００１７】
図２に示すように、本考案に係る密封装置付き袋体１００の挟み部材１２Ａは、第１の平板１２Ａａおよび第２の平板１２Ａｂ並びに変形部材１２Ａｃを備える。変形部材１２Ａｃは、第１の平板１２Ａａの一端と第２の平板１２Ａｂの一端とを連結する部材である。また、変形部材１２Ａｃは、折り曲げ可能な弾性体であり、折り曲げた状態のときに第１の平板１２Ａａと第２の平板１２Ａｂとを重ねて支持および固定する。なお、図３に示すように、本考案に係る固定部材（図１の１２）は、本実施形態では、スライダー１１ｂと挟み部材１２Ａとを連結する紐部材１２Ｂを更に有する。
【００１８】
第１の平板１２Ａａは、図２に示すように、本実施形態では、第１の平板１２Ａａの第２の平板１２Ａｂに接する平面に第１の弾性体１２Ａａｅを有する。第２の平板１２Ａｂは、図２に示すように、本実施形態では、第２の平板１２Ａｂの第１の平板１２Ａａに接する平面に第２の弾性体１２Ａｂｅを有する。
【００１９】
図３および図１に示すように、固定部材１２は、本実施形態では、開口部を密封する場合に、変形部材（図２の１２Ａｃ）を折り曲げて第１の平板（図２の１２Ａａ）と第２の平板（図２の１２Ａｂ）とを重ねて開口部を閉鎖し、且つ、第１の弾性体（図２の１２Ａａｅ）と第２の弾性体（図２の１２Ａｂｅ）を弾性変形して開口部を密封する。また、固定部材１２は、本実施形態では、開口部を密封する場合に、変形部材（図２の１２Ａｃ）を屈曲して第１の平板（図２の１２Ａａ）と第２の平板（図２の１２Ａｂ）とを重ねて開口部を挟んで閉鎖し、且つ、第１の平板（図２の１２Ａａ）と第２の平板（図２の１２Ａｂ）の側面でスライダー（図１の１１ｂ）の位置を支持して固定する。
【００２０】
以上のとおり、本考案に係る密封装置および密封装置付き袋体によれば、固定部材を用いて開口部の端部を閉鎖することができるので、袋体を容易に密封することができる。また、本考案に係る密封装置および密封装置付き袋体によれば、内容物の体積が大きくて膨らんでいる袋体を封するときに、線状ファスナー部材のスライダーを固定することができるので、袋体を容易に密封することができる。
【００２１】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２２】
１００  ：  密封装置付き袋体
１０  ：  袋部材
１１  ：  線状ファスナー部材
１１ａ：  線状の留め具
１１ｂ：  スライダー
１２  ：  固定部材
１２Ａ：  挟み部材
１２Ａａ  ：  第１の平板
１２Ａａｅ：  第１の弾性体
１２Ａｂ  ：  第２の平板
１２Ａｂｅ：  第２の弾性体
１２Ａｃ：  変形部材
１２Ｂ：  紐部材
【図１】
0003211387.tif 000003
【図２】
0003211387.tif 000004
【図３】
0003211387.tif 000005